(57)【要約】【課題】衣服の襟等に使用される布帛であって、従来使用されている布帛と実質的に同一の風合いを有し、しかも、使用者がいつでも任意な形状に変形させ、安定して保持でききる任意に保形可能な布帛を提供する【解決手段】ポリエステル糸、綿糸、ポリエステルと綿の混紡糸及びアクリル糸からなる群から選ばれる地糸をラッシェル編又はマル編した編地に、塑性変形性を有するポリオレフィン糸を全面に編みこむ。ポリオレフィン糸は、編地の表目側に出ないように、添え糸編みとするのが好ましい。【選択図】なし【特許請求の範囲】
【請求項１】
任意に保形可能な衣服用布帛であって、ポリエステル糸、綿糸、ポリエステルと綿の混紡糸及びアクリル糸からなる群から選ばれる地糸をゴム編したものであり、該編地に塑性変形性を有するポリオレフィン糸が全面に編み込まれていることを特徴とする布帛。
【請求項２】
前記ポリオレフィン糸が添え糸編みされていることを特徴とする請求項１の布帛。
【請求項３】
前記ポリオレフィン糸が地糸と同種の糸でカバリング又は撚糸されていることを特徴とする請求項１又は２の布帛。
【請求項４】
前記布帛における、前記ポリオレフィン糸の使用割合が４〜２０重量％であることを特徴とする請求項１〜３いずれか１項の布帛。
【請求項５】
前記地糸がポリエステルウーリー糸の２〜４本引き揃え糸からなるものであることを特徴とする請求項１〜４いずれか１項の布帛。
【請求項６】
前記ポリオレフィン糸が、５０〜１００ｄのポリエチレン糸であることを特徴とする請求項１〜５いずれか１項の布帛。
【請求項７】
前記布帛が、衣服の襟、袖口、前立て、裾のいずれかに使用されるものであることを特徴とする請求項１〜６いずれか１項の布帛。
【請求項８】
前記布帛が、ポロシャツの襟に使用されるものであることを特徴とする請求項７の布帛。
【発明の詳細な説明】
【技術分野】
【０００１】
本発明は、衣服の一部を使用者が任意に形状を変化させて安定して着用できるようにする、任意に保形可能な衣服用布帛に関する。
【背景技術】
【０００２】
例えば、ポロシャツ等のシャツを着用した際、陽射しの強い日には、襟を立てるなど変形して着用することが望まれるが、従来の製品では、安定して襟を立てることができなかった。また、強く糊のきいた襟では、変形して着用することが可能であるが、一度変形した襟は、形がついてしまい、最初の状態に戻し難いという欠点があった。更に、糊をつけるのに手間がかかるものであった。
【０００３】
別途、特許文献１では、襟先などに、ポリオレフィンを主成分とする延伸シートを取り付けることにより、形状保持性を高めることが開示されているが、この方法では、延伸シートの取り付け部分で、衣服の風合いが変わる欠点があり、また、延伸シートの変形保持性に方向性があるため、それを取り付けた襟等を任意な方向に変形保持することはできなかった。
【特許文献１】特開２００５−８２９１７号公報
【発明の開示】
【発明が解決しようとする課題】
【０００４】
そこで、本発明は、衣服の襟等に使用される布帛であって、従来使用されている布帛と実質的に同一の風合いを有し、しかも、使用者が任意な形状に変形させ、安定して保持でき、いつでも初期の状態に復元することができる任意に保形可能な布帛を提供することを課題とする。
【課題を解決するための手段】
【０００５】
本発明では、ポリエステル糸、綿糸、ポリエステルと綿の混紡糸及びアクリル糸からなる群から選ばれる地糸をゴム編した編地に、塑性変形性を有するポリオレフィン糸を全面に編みこむことにより、上記課題を解決した。
【０００６】
すなわち、編地全体に、表に響かないように、比較的細い塑性変形性を有するポリオレフィン糸を編みこむことにより、編地本体の風合いを損なうことなく、布帛全体を任意に変形保持可能とするのである。前記ポリオレフィン糸は、編地の表目側に出ないように、添え糸編み（プレーティング）されるのが好ましい。
【０００７】
通常、前記ポリオレフィン糸は、直接使用されてよいが、地糸が黒、紺、赤などの濃色である場合には、ポリオレフィン糸を添え糸編みとしたとしても、その存在が表の色に影響を与えることがあるので、そのような場合には、前記ポリオレフィン糸を地糸と同種の糸でカバリング又は撚糸して使用してもよい。この場合、カバリング糸や交撚糸としては前記ポリオレフィン糸と同じ程度の太さの糸を使用するのが好ましい。
【０００８】
なお、前記ポリオレフィン糸を直接使用する場合であっても、他の糸でカバリング又は撚糸して使用する場合であっても、布帛中における前記ポリオレフィン糸の使用割合は４〜２０重量％、特に、５〜１５重量％程度であるのが好ましい。
【０００９】
また、地糸には、一般にウーリー糸やバルキー糸といわれるような嵩高糸、または紡績糸を使用するのが好ましく、地糸及びポリオレフィン糸はいずれも、単糸で使用されても、複数本組み合わせて使用されてもよい。
【００１０】
例えば、地糸にポリエステルウーリー糸の２〜４本の引き揃え糸、または綿糸やポリエステル／綿混紡糸で２〜４本の撚糸又は引き揃え糸を使用し、これに塑性変形性を有するポリオレフィン糸を１〜２本添え糸として編みこむのが好ましい。
【００１１】
塑性変形性を有するポリオレフィン糸としては、例えば、特許第３５８２８５４号に開示されるようなポリエチレン糸を挙げることができる。本発明では、５０〜１００ｄ程度のポリエチレン糸を使用するのが好ましい。
【００１２】
本発明の布帛は、衣服の襟、袖口、前立て、裾などに使用するのに適しており、特に、ポロシャツの襟に使用するのがよい。編地としては、ゴム編組織とするが、周囲に、他の織組織が存在してもよい。
【発明の効果】
【００１３】
本発明の布帛は、比較的細い塑性変形性を有するポリオレフィン糸を普通の編地に編み込んだものであるので、はり及びこしがあるにもかかわらず、風合いがよく、耐洗濯性にも優れている。特に、形状安定性に優れるので、洗濯を頻繁にする必要がある介護用衣服の襟材などに適している。更に、前記ポリオレフィン糸が布帛全体に存在するため、布帛を任意に変形させ、その形状を安定に保つことが可能となる。長時間経過後であっても、変形した形状を元に戻すことができ、常に新鮮な状態で着用できる。なお、布帛をゴム編地などとすることにより、前記ポリオレフィン糸は表に出ることなく、布帛の外観は地糸のみの編地同様に保つことができる。
【発明を実施するための最良の形態】
【００１４】
＜実施例１＞
ポリエステルウーリー糸１５０ｄ×３本を使用したゴム編み組織からなる布帛（ポロシャツの襟地）の製編時に、塑性変形性あるポリエチレン糸７０ｄ×１本を添え糸として使用し、全面に塑性変形性あるポリエチレン糸が存在する襟地を製造した（布帛重量中、ポリエチレン糸の使用割合は（２／１７）×１００＝約１２重量％である）。
【００１５】
この襟地は、ポリエステルウーリー糸のみからなるものとほぼ同様の風合いを有し、しかも、前記ポリエチレン糸の存在によって、はり及びこしあるものとなり、襟越や襟先を所望により、適宜折り曲げ可能であり、一旦折り曲げると、その形状を安定して保つものとなる。また、元に戻すことも任意であり、これらの折り曲げにより、襟地に不当な折り目が残すこともない。
【００１６】
この襟地を使用したポロシャツは、普通のポロシャツに比して、多少襟にはりのある高級感あるポリシャツとなり、しかも、着用時に、外気の状況に応じて、襟を立てたり、曲げたり任意に変形でき、この変形状態は安定して保たれるため、非常におしゃれな着用が可能となる。
【００１７】
この襟地と同様の編地を、衣服のポケットの口や蓋、前立、裾などに使用することにより、着用者が任意に、ポケットや前立、裾等の形状を変化させて、独自な意匠性ある衣服として、外観を楽しむことが可能となる。
【００１８】
＜実施例２＞
ポリエステルウーリー糸の代わりに、綿糸３０番手４本引き揃え糸を使用して、実施例１と同様の方法で、布帛を製造した。この布帛では、布帛中、ポリエチレン糸の使用割合は（２／２５）×１００＝８重量％である。
この布帛も、実施例１の製品と同様、ポリシャツの襟地として、保形性に優れ、従来になく、意匠性に優れた着用が可能となった。
【００１９】
＜実施例３＞
ポリエステルウーリー糸の代わりに、ポリエステルと綿の５０：５０混紡糸からなる３０番手４本引き揃え糸を使用して、実施例１と同様の方法で、布帛を製造した。この布帛では、布帛中、ポリエチレン糸の使用割合は（２/２４．５）×１００=約８．１２重量％である。
この布帛も、実施例１の製品と同様、ポリシャツの襟地として、保形性に優れ、従来になく、意匠性に優れた着用が可能となった。